(57)【要約】【課題】回動式開閉蓋の開閉時の衝突音が緩和され、また安全性能に優れているごみ集荷容器を提供する。【解決手段】ごみ集荷容器１Ａは、容器本体１０と、回動式開閉蓋２０と、を備え、該容器本体１０は、底板部１１と、左右一対の側板部１２，１２と、後板部１３と、前板部１５と、を備え、該容器本体１０における該前板部１５の上縁１６と該後板部１３の上縁１４との間に形成された開口部がごみ投入口１９とされ、該回動式開閉蓋２０が有する上に凸の側面視円弧形状の開閉蓋本体２０Ａの左右両辺に形成された差出部２２に設定された軸支部３０には、該回動式開閉蓋２０の閉鎖方向への回動にのみ抵抗力を発生させる一方向ロータリーダンパー３１が配設されている。【選択図】図３
2013035636.tif 000002
【特許請求の範囲】
【請求項１】
容器本体と、該容器本体の前側上部に形成されたごみ投入口を開閉する回動式開閉蓋と、を備えたごみ集荷容器であって、
該容器本体は、
平面視矩形状の底板部と、
該底板部における互いに対向する左右一対の側縁に各々立設され、上部が上に凸の半円弧形状とされた左右一対の側板部と、
該底板部の後縁及び該左右一対の側板部における後側下縁より、該側板部の側縁間に差し渡されつつ、該側板部の後側縁形状に沿って該側板部の上部に亘って形成される後板部と、
該底板部の前縁及び該左右一対の側板部における前側下縁より、該側板部の側縁間に差し渡されつつ、該側板部の前側縁形状に沿って形成される前板部とを備え、
該容器本体における該前板部の上縁と該後板部の上縁との間に形成された開口部が前記ごみ投入口とされており、
該回動式開閉蓋は、上に凸の側面視円弧形状の開閉蓋本体と、該開閉蓋本体の左右両辺より、該開閉蓋本体の円弧中心側に向けて差し出された左右一対の差出部とを備え、
該差出部には、該開閉蓋本体の円弧中心に対応する円弧中心部が設けられ、該円弧中心部に軸支部が設定され、該軸支部を介して該回動式開閉蓋は該左右一対の側板部に軸支されて、該回動式開閉蓋が該側板部の半円弧形状の上縁に沿って前側下方に回動すると該ごみ投入口が閉鎖され、該回動式開閉蓋が該側板部の半円弧形状の上縁に沿って後側上方に回動すると該ごみ投入口が開放され、さらに該回動式開閉蓋の左右両端の軸支部の少なくとも一方には、該回動式開閉蓋の閉鎖方向への回動にのみ抵抗力を発生させる一方向ロータリーダンパーが配設されている
ことを特徴とするごみ集荷容器。
【請求項２】
前記回動式開閉蓋、及び／又は前記後板部には、緩衝部が配設されており、前記ごみ投入口が開放状態となるとき、該回動式開閉蓋と該後板部との間に該緩衝部が介装される
請求項１に記載のごみ集荷容器。
【請求項３】
前記回動式開閉蓋が前記容器本体内に配置され、
前記後板部の内側面には、前側に突出して上部に略水平面を有するストッパー部が配設され、
該回動式開閉蓋の後縁部、及び／又は該後板部のストッパー部の上部の略水平面に前記緩衝部が配設され、該回動式開閉蓋が開放方向へ回動して前記ごみ投入口が開放状態となるとき、該後縁部が該緩衝部を介して該ストッパー部に押し当てられ、該回動式開閉蓋が開放方向へ回動不能となる
請求項２に記載のごみ集荷容器。
【請求項４】
前記一方向ロータリーダンパーには、回動可能な角度範囲が規制されており、
前記ごみ投入口が開放状態となるとき、該一方向ロータリーダンパーが最大角度位置に達して前記回動式開閉蓋が開放方向へ回動不能となり、該回動式開閉蓋と前記後板部との間には間隙が設けられて互いが非接触な状態にある
請求項１に記載のごみ集荷容器。
【請求項５】
前記一方向ロータリーダンパーは、一方の前記軸支部にのみ配設され、他方の軸支部には、前記回動式開閉蓋の回動角度範囲を規制する回動角度範囲規制手段が配設されており、
前記ごみ投入口が開放状態となるとき、該回動角度範囲規制手段により該回動式開閉蓋は開放方向へ回動不能となり、該回動式開閉蓋と前記後板部との間には間隙が設けられて互いが非接触な状態にある
請求項１に記載のごみ集荷容器。
【発明の詳細な説明】
【技術分野】
【０００１】
本発明は、ごみ袋等を一時的に収容しておくごみ集荷容器に関するものである。
【背景技術】
【０００２】
集合住宅等の敷地内に設置され、該集合住宅等から排出されたごみが入ったごみ袋等（以下、単に「ごみ」とも言う）を、収集車によって回収されるまで一時的に収容しておくごみ集荷容器は、既に提案されている（例えば、特許文献１，２参照。）。
【０００３】
特許文献１には、回転扉を備え、かつ容量を自由に変更できるごみ集荷容器が開示されている。また、特許文献２には、少数のパーツで組み立てることのできる組立式容器に関し、容器収容部をブロー成形により成形した主パーツと副パーツとで組立て構成するものであり、該容器には回動式の開閉蓋が設けられている構成が開示されている。また、容器本体に対して揺動する蓋体を備えたプッシュオン蓋付き容器も既に開示されている（例えば、特許文献３参照。）。
【先行技術文献】
【特許文献】
【０００４】
【特許文献１】特開平１０−３１６２０３号公報
【特許文献２】特開２０１０−１５９０６１号公報
【特許文献３】特開２００７−２９７１１６号公報
【発明の概要】
【発明が解決しようとする課題】
【０００５】
しかしながら、これまでに提供されている従来構成は、ごみを容器内に収容すべく上記回動式の開閉蓋を開閉するたびに、該開閉蓋の後縁部や取っ手部等が容器本体と衝突して不快な衝突音が発生してしまう。特に、該容器が集合住宅等に設置されて夜中や早朝の時間帯に使用された場合、この衝突音が住民の生活環境を悪化させるため、大きな問題となる。
【０００６】
また、前記開閉蓋の開閉操作をより一層容易とし、さらに、この開閉操作の安全性の確保も求められる。例えば、特許文献３に開示されているプッシュオン蓋付き容器の蓋開閉構造をごみ集荷容器に適用しようとすると、回動する蓋に周囲にいる者が接触するおそれがある。
【０００７】
そこで、本発明は、回動式開閉蓋の開閉に際し衝突音が緩和され、また安全性に優れたごみ集荷容器を提供することを目的とする。
【課題を解決するための手段】
【０００８】
本発明は、容器本体と、該容器本体の前側上部に形成されたごみ投入口を開閉する回動式開閉蓋と、を備えたごみ集荷容器であって、該容器本体は、平面視矩形状の底板部と、該底板部における互いに対向する左右一対の側縁に各々立設され、上部が上に凸の半円弧形状とされた左右一対の側板部と、該底板部の後縁及び該左右一対の側板部における後側下縁より、該側板部の側縁間に差し渡されつつ、該側板部の後側縁形状に沿って該側板部の上部に亘って形成される後板部と、該底板部の前縁及び該左右一対の側板部における前側下縁より、該側板部の側縁間に差し渡されつつ、該側板部の前側縁形状に沿って形成される前板部とを備え、該容器本体における該前板部の上縁と該後板部の上縁との間に形成された開口部が前記ごみ投入口とされており、該回動式開閉蓋は、上に凸の側面視円弧形状の開閉蓋本体と、該開閉蓋本体の左右両辺より、該開閉蓋本体の円弧中心側に向けて差し出された左右一対の差出部とを備え、該差出部には、該開閉蓋本体の円弧中心に対応する円弧中心部が設けられ、該円弧中心部に軸支部が設定され、該軸支部を介して該回動式開閉蓋は該左右一対の側板部に軸支されて、該回動式開閉蓋が該側板部の半円弧形状の上縁に沿って前側下方に回動すると該ごみ投入口が閉鎖され、該回動式開閉蓋が該側板部の半円弧形状の上縁に沿って後側上方に回動すると該ごみ投入口が開放され、さらに該回動式開閉蓋の左右両端の軸支部の少なくとも一方には、該回動式開閉蓋の閉鎖方向への回動にのみ抵抗力を発生させる一方向ロータリーダンパーが配設されていることを特徴とするごみ集荷容器である。
【０００９】
かかる構成にあって、使用者がごみ投入口を介してごみを投入した後、該ごみ投入口を閉鎖すべく回動式開閉蓋を閉鎖方向に回動させると、前記一方向ロータリーダンパーの機能により閉鎖方向の回動に対して抵抗力が発生する。このため、使用者が閉鎖動作の最中に手を離した状態であっても、該回動式開閉蓋は、自重による降下の速度が該抵抗力によって好適に抑えられることによって、該抵抗力が付与されずに単に自重のみによって降下する場合よりも緩やかに回動して閉鎖する。このため、閉鎖時に該回動式開閉蓋と容器本体とが強く衝突して大きな衝突音が発生してしまうことが防止される。
【００１０】
上記構成は、前記回動式開閉蓋、及び／又は前記後板部には、緩衝部が配設されており、前記ごみ投入口が開放状態となるとき、該回動式開閉蓋と該後板部との間に該緩衝部が介装される構成としてもよい。
【００１１】
かかる構成とすることにより、閉鎖時だけでなく、使用者がごみを投入すべくごみ投入口を開放した際にも、前記緩衝部の緩衝作用により、前記回動式開閉蓋と前記容器本体とが衝突して大きな衝突音が発生してしまうことを防止することができる。
【００１２】
さらに、前記回動式開閉蓋が前記容器本体内に配置され、前記後板部の内側面には、前側に突出して上部に略水平面を有するストッパー部が配設され、該回動式開閉蓋の後縁部、及び／又は該後板部のストッパー部の上部の略水平面に前記緩衝部が配設され、該回動式開閉蓋が開放方向へ回動して前記ごみ投入口が開放状態となるとき、該後縁部が該緩衝部を介して該ストッパー部に押し当てられ、該回動式開閉蓋が開放方向へ回動不能となる構成としてもよい。
【００１３】
かかる構成とすることにより、大きな衝突音を発生させることなく、前記ごみ投入口が適切に開放される位置で前記回動式開閉蓋の開放方向への回動を確実に停止させることができる。また、該回動式開閉蓋が容器本体内に配置されるため、回動する該回動式開閉蓋が周囲にいる者に接触するおそれが少なく、安全である。
【００１４】
また、前記一方向ロータリーダンパーには、回動可能な角度範囲が規制されており、前記ごみ投入口が開放状態となるとき、該一方向ロータリーダンパーが最大角度位置に達して前記回動式開閉蓋が開放方向へ回動不能となり、該回動式開閉蓋と前記後板部との間には間隙が設けられて互いが非接触な状態にある構成としてもよい。
【００１５】
かかる構成にあっては、一方向ロータリーダンパーにより、前記ごみ投入口が適切に開放される位置で前記回動式開閉蓋の開放方向への回動を確実に停止させることができる。また、前記ごみ投入口が開放状態となるとき、該回動式開閉蓋と前記容器本体とが互いに非接触にあるため、該回動式開閉蓋を開放操作した際の衝突音の発生を確実に防止することができる。
【００１６】
ところで、上記のように、一方向ロータリーダンパーが最大回動角度に達したところで回動式開閉蓋の回動が適正に停止する構成は、長期に亘って使用を継続した場合、開閉のたびに該一方向ロータリーダンパーに負荷がかかり、全体として製品の耐用年数が低下するおそれがある。
【００１７】
そこで、前記一方向ロータリーダンパーは、一方の前記軸支部にのみ配設され、他方の軸支部には、前記回動式開閉蓋の回動角度範囲を規制する回動角度範囲規制手段が配設されており、前記ごみ投入口が開放状態となるとき、該回動角度範囲規制手段により該回動式開閉蓋は開放方向へ回動不能となり、該回動式開閉蓋と前記後板部との間には間隙が設けられて互いが非接触な状態にある構成が提案される。
【００１８】
かかる構成とすることにより、一方向ロータリーダンパーに負荷をかけることなく、前記ごみ投入口が適切に開放される位置で前記回動式開閉蓋の開放方向への回動を確実に停止させることができる。また、該ごみ投入口が開放状態となるとき、該回動式開閉蓋と前記後板部との間には間隙が設けられて互いが非接触にあるため、該回動式開閉蓋を開放操作した際の衝突音の発生も確実に防止することができる。
【発明の効果】
【００１９】
本発明のごみ集荷容器は、回動式開閉蓋を開閉した際に発生する衝突音を緩和することができる優れた効果がある。
【図面の簡単な説明】
【００２０】
【図１】実施例１にかかるごみ集荷容器を示す外観斜視図であって、ごみ投入口が閉鎖された状態を示す。
【図２】ごみ集荷容器を示す外観斜視図であって、ごみ投入口が開放された状態を示す。
【図３】図２の軸支部を分解して示す分解斜視図。
【図４】ごみ集荷容器の縦断面を示す説明図であって、（ａ）はごみ投入口が開放される前段階を示し、（ｂ）は該ごみ投入口が開放された状態を示す。
【図５】実施例２にかかるごみ集荷容器の縦断面を示す説明図であって、（ａ）はごみ投入口が開放される前段階を示し、（ｂ）は該ごみ投入口が開放された状態を示す。
【図６】（ａ）は、実施例３にかかるごみ集荷容器の一方向ロータリーダンパーの回動角度範囲を示し、（ｂ）は、ごみ投入口が開放された状態のごみ集荷容器の縦断面を示す説明図。
【図７】実施例４にかかる軸支部を分解して示す分解斜視図。
【発明を実施するための形態】
【００２１】
以下、本発明のごみ集荷容器を具体化した実施例を詳細に説明する。なお、本発明は、下記に示す実施例に限定されることはなく、適宜設計変更が可能である。
【００２２】
（実施例１）
図１，２に示すように、ごみ集荷容器１Ａは、容器本体１０と、該容器本体１０の前側上部に形成されたごみ投入口１９を開閉する回動式開閉蓋２０と、を備えている。
【００２３】
前記容器本体１０は、図１に示すように、平面視横長矩形状の底板部１１を有し、該底板部１１における互いに対向する左右一対の側縁に、左右一対の側板部１２，１２が立設されている。また、該側板部１２の上部は、上に凸の半円弧形状とされている。なお、該半円弧形状とは、半径同一で中心角が１８０度となるようにコンパスで円弧を描いた際に描かれる始点から終点までの円弧形状をいうこととする。
【００２４】
前記左右一対の側板部１２，１２における各後側の側縁間には、後板部１３が差し渡されている。さらに、該後板部１３は、前記底板部１１の後縁及び該左右一対の側板部１２，１２における後側下縁より、該側板部１２の後側縁形状に沿って該側板部１２の上部に亘って形成されている。該後板部１３は、前記側板部１２の直線状の側縁に沿って配置されている後側扉１３Ａと、該後側扉１３Ａの直上に配置され、該側板部１２における半円弧形状の上縁に沿って頂上に向けて配置されている天井板１３Ｂとで構成されている。
【００２５】
前記左右一対の側板部１２，１２における各前側の側縁間には、前板部１５が差し渡されている。さらに、該前板部１５は、前記底板部１１の前縁及び該左右一対の側板部１２，１２における前側下縁より、該側板部１２の前側縁形状に沿って形成されている。該前板部１５は、平板状をなし、該側板部１２の直線状の側縁に沿って配置された左右一対の前側扉１５Ａ，１５Ｂによって構成されている。該左右一対の前側扉１５Ａ，１５Ｂは、該左右一対の側板部１２，１２の前側の側縁部にそれぞれ回動自在に取り付けられており、中央から観音式に開いて該容器本体１０内のごみを容易に取り出すことができる。なお、該前側扉１５Ａ，１５Ｂと前記後側扉１３Ａとは、同じ寸法や同じ意匠の扉部材をそれぞれ共用してもよいし、互いに異なる型の扉部材をそれぞれ別々に用いてもよい。
【００２６】
そして、図１，２に示すように、前記容器本体１０における前記前板部１５の上縁１６と前記後板部１３の上縁１４との間に形成された横長矩形状の開口部が、前記ごみ投入口１９とされている。
【００２７】
また、図１，２に示すように、前記回動式開閉蓋２０は、開閉蓋本体２０Ａと、差出部２２，２２とを有している。該開閉蓋本体２０Ａは、前記ごみ投入口１９に対応する寸法形状をなし、かつ前記容器本体１０の側板部１２の半円弧形状の上縁に沿って湾曲した上に凸の側面視円弧形状をなしている。また、該差出部２２は、扇形状をなし、該開閉蓋本体２０Ａの左右両辺にボルト等の連結部材２３を介して連結されることにより、前記側板部１２の板面に沿って該開閉蓋本体２０Ａの円弧中心側に向けて差し出されている。
【００２８】
さらに、図３等に示すように、扇形状を有する各差出部２２に設けられた、前記開閉蓋本体２０Ａの円弧中心に対応する円弧中心部には、該回動式開閉蓋２０を該側板部１２に対して回動自在に支持させるための軸支部３０が配設されている。そして、該回動式開閉蓋２０は、容器本体１０内に配置された状態で該軸支部３０を介して各側板部１２，１２に軸支されている。これにより、該回動式開閉蓋２０が該側板部１２の半円弧形状を有する上縁に沿って前側下方に回動すると該ごみ投入口１９が閉鎖され（図１参照）、該回動式開閉蓋２０が該側板部１２の半円弧形状を有する上縁に沿って後側上方に回動すると該ごみ投入口１９が開放される（図２参照）。なお、該開閉蓋本体２０Ａの前縁部には、容器本体１０の外側に向けて折り返された取っ手部２１が形成されており、使用者が該取っ手部２１を掴んで回動式開閉蓋２０を回動させることが可能となっている。
【００２９】
以下、図３に従って、前記左右一対の軸支部３０について詳述する。
該軸支部３０は、オイルが内部に充填された市販のオイルダンパーからなる一方向ロータリーダンパー３１を備えている。該一方向ロータリーダンパー３１は、前記回動式開閉蓋２０の閉鎖方向への回動にのみ抵抗力を発生させる機能を有しており、楕円形状の鍔部を有するカバー体３２Ｂと、該カバー体３２Ｂに対して回動する回動軸３１Ａとを有している。そして、扇形状を有する前記差出部２２に設定された円弧中心部に形成された凹状のダンパー受け部３３内に、該ダンパー受け部３３内の挿通孔３３Ａ内に前記回動軸３１Ａが挿通された状態で該一方向ロータリーダンパー３１が嵌め込まれ、さらに、該カバー体３２Ｂが該ダンパー受け部３３内で回動しないようにネジ固定されている。さらに、該差出部２２の円弧中心部には、該一方向ロータリーダンパー３１を覆うように押さえ金具３２が取り付けられており、該一方向ロータリーダンパー３１が該ダンパー受け部３３から脱落することが防止されている。また、該一方向ロータリーダンパー３１の前記回動軸３１Ａは、ダンパー受け部３３に設けられた挿通孔３３Ａ、及び前記側板部１２に設けられた挿通部３４に形成される挿通孔３４Ａに挿通され、さらに、該側板部１２の外側面にネジ固定された固定部材３５の挿通孔３５Ａに遊転不能に嵌入されている。
【００３０】
また、図４に示すように、前記後板部１３における天井板１３Ｂの下端付近の内側面には、前側に突出して上部に略水平面を有するストッパー部４０が配設され、該ストッパー部４０の該上部の略水平面に緩衝部としての緩衝部材４１が配設されている。該緩衝部材４１は、公知技術である緩衝材により好適に構成され、弾力のある合成樹脂材料やゴム材料等の成形品が好ましく用いられる。
【００３１】
上記構成にあって、図４ａに示すように、使用者がごみを投入すべく回動式開閉蓋２０を押し上げてごみ投入口１９を開放すると、図４ｂに示すように、該回動式開閉蓋２０の後縁部２４が、前記ストッパー部４０に配設された緩衝部材４１に接触し、該回動式開閉蓋２０が該緩衝部材４１を介して該ストッパー部４０に押し当てられる。このように該回動式開閉蓋２０が該緩衝部材４１を介して該ストッパー部４０に押し当てられると、該回動式開閉蓋２０の開放方向への回動が不能となってごみ投入口１９が開放状態となる。該ごみ投入口１９が開放状態となるとき、該緩衝部材４１の緩衝作用により、該回動式開閉蓋２０と該容器本体１０とが衝突して生ずる衝突音の発生を防止できる。なお、図４ｂに示すように、該回動式開閉蓋２０が該緩衝部材４１を介して該ストッパー部４０に押し当てられる位置まで回動した状態において、該回動式開閉蓋２０の取っ手部２１と前記後板部１３の上縁１４との間には間隙が形成される構成としている。このような配置となるように該回動式開閉蓋２０の回動角度範囲が規制されることにより、取っ手部２１を掴んだ使用者の指が該後板部１３の上縁１４と該取っ手部２１との間の隙間に収容されることとなる。
【００３２】
一方、前記回動式開閉蓋２０を閉鎖する際は、使用者は該回動式開閉蓋２０を閉鎖方向へ押し下げる。このとき、該回動式開閉蓋２０がある程度下方に回動開始すれば、手を離しても該回動式開閉蓋２０は自重によって閉鎖方向へ降下するが、前記一方向ロータリーダンパー３１が発生させる抵抗力により、自重による降下の速度が好適に抑えられ、単に自重のみによって降下する場合よりもゆっくりと閉鎖方向に回動し、図１に示す閉鎖状態となる。このように、該回動式開閉蓋２０は、ゆっくりと回動して衝突音を発生させることなくごみ投入口１９を閉鎖することができる。また、該回動式開閉蓋２０は、容器本体１０内に配置されており、天井板１３Ｂの内側に収容されるように回動するため、該容器本体１０の周囲にいる者に接触するおそれが少なく、安全である。
【００３３】
なお、前記緩衝部材４１は、回動式開閉蓋２０の後縁部２４にのみ配設されていてもよいし、該後縁部２４及び前記ストッパー部４０の両方に配設されていてもよい。勿論、該緩衝部材４１は、側板部１２の内側に設けられたストッパー部４０に相当する段差部に配設されてもよい。また、上記した容器本体１０の底板部１１、側板部１２、後板部１３、及び前板部１５は、それぞれブロー成形された樹脂製の中空部材で構成されることが、ごみ集荷容器１Ａを軽量化する上で特に望ましい。
【００３４】
（実施例２）
以下、実施例２にかかるごみ集荷容器１Ｂについて説明するが、実施例１と共通する部分については説明を簡略又は省略し、また図中では同じ符号を付すこととする。
【００３５】
図５ａに示すように、前記ごみ集荷容器１Ｂの前記後板部１３における天井板１３Ｂの内側面には、前側に突出して上部に略水平面を有するストッパー部４０が配設されておらず、緩衝部材４１が該後板部１３の上縁１４に配設されている。そして、図５ｂに示すように、前記回動式開閉蓋２０が開放方向に回動し、開閉蓋本体２０Ａの前縁部にて容器本体１０の外側に向けて折り返された取っ手部２１が緩衝部材４１を介して該後板部１３の上縁１４に当接したところで、該回動式開閉蓋２０の回動が停止し、ごみ投入口１９が開放状態となる。このように、ごみ投入口１９が開放状態となるとき、該回動式開閉蓋２０と該後板部１３との間に緩衝部材４１が介装されると、該緩衝部材４１の緩衝作用により、該回動式開閉蓋２０と該容器本体１０とが衝突して大きな衝突音が発生してしまうことを防止することができる。なお、本発明にいう該回動式開閉蓋２０と該後板部１３との間に緩衝部材４１が介装される状態は、ごみ投入口１９の開放状態で回動式開閉蓋２０が容器本体１０の後板部１３に対して強い衝撃を与えないよう、回動式開閉蓋２０と後板部１３との間に緩衝部材４１が介装されていればよいとの観点から、例えば緩衝部材４１が天井板１３Ｂの湾曲部位と開閉蓋本体２０Ａとの間に配置された構成であってもよいし、緩衝部材４１が側板部１２と差出部２２との間に配置された構成であってもよい。
【００３６】
なお、前記緩衝部材４１は、回動式開閉蓋２０の取っ手部２１にのみ配設されていてもよいし、該取っ手部２１及び前記後板部１３の上縁１４の両方に配設されていてもよい。
【００３７】
（実施例３）
以下、実施例３にかかるごみ集荷容器１Ｃについて説明するが、実施例１，２と共通する部分については説明を簡略又は省略し、また図中では同じ符号を付すこととする。
【００３８】
図６ａに示すように、軸支部３０に設けられた前記一方向ロータリーダンパー３１には、回動可能な角度範囲θが規制されており、
ａ１≦θ≦ａ２
の範囲内で回動式開閉扉２０が回動可能とされている。そして、図６ｂに示すように、該一方向ロータリーダンパー３１が最大角度位置であるａ２に達することにより該回動式開閉蓋２０の開放方向への回動が不能となると、該回動式開閉蓋２０と前記後板部１３との間に間隙が設けられて互いが非接触な状態で前記ごみ投入口１９が開放状態となる。かかる構成とすることにより、該ごみ投入口１９が適切に開放される位置で該回動式開閉蓋２０の開放方向への回動を確実に停止することができる。また、この状態で該回動式開閉蓋２０と容器本体１０とを非接触にすることができるため、後板部１３の上縁１４と取っ手部２１との間に間隙を設け、開放時の衝突音を確実に防止することができる。
【００３９】
（実施例４）
以下、実施例４にかかるごみ集荷容器１Ｄについて説明するが、実施例１〜３と共通する部分については説明を簡略又は省略し、また図中では同じ符号を付すこととする。
【００４０】
ごみ集荷容器１Ｄは、一方の軸支部３０には、前記一方向ロータリーダンパー３１が配設され、図７に示すように、他方の軸支部５０には、回動角度範囲規制手段としての回動角度範囲規制部材５１が配設されている。さらに詳述すると、前記一方向ロータリーダンパー３１は、回動式開閉蓋２０の回動角度範囲を規制する機能は有しておらず、前記回動角度範囲規制部材５１が回動式開閉蓋２０の回動角度範囲を規制する機能を有している。該回動角度範囲規制部材５１は、ケーシング５２と、該ケーシング５２内に固設され、内周面に第一係止部５４が形成された外側体５３と、該外側体５３内に回動自在に配置され、前記第一係止部５４と係止する第二係止部５６を備え、該第二係止部５６と一体的に構成されて回動式開閉蓋２０と共に回動する回動体５５とを備えている。そして、該回動角度範囲規制部材５１により該回動式開閉蓋２０の上方への回動が停止したところで前記ごみ投入口１９が開放状態となり、該ごみ投入口１９の開放状態において該回動式開閉蓋２０と前記後板部１３との間には間隙が設けられて互いが非接触な状態とされる。このため、一方向ロータリーダンパー３１に負荷をかけることなく、該ごみ投入口１９が適切に開放される位置で該回動式開閉蓋２０の開放方向への回動を確実に停止させ、該回動式開閉蓋２０を開放した際の衝突音も確実に防止することができる。
【００４１】
また、これまでに述べたごみ集荷容器１Ａ〜１Ｄは、安全に配慮し、いずれも回動式開閉蓋２０が容器本体１０内に配置された構成であるが、本発明は回動式開閉蓋が容器本体１０の外に配置されている構成も含まれるものとする。
さらに、前記緩衝部材４１は、前記ストッパー部４０、前記後縁部２４、前記後板部１３の上縁１４、取っ手部２１等の全面に亘って設けられてもよく、また、例えば図２に示すように部分的に設けられていてもよい。
【符号の説明】
【００４２】
１Ａ〜１Ｄ  ごみ集荷容器
１０        容器本体
１１        底板部
１２        側板部
１３        後板部
１４        後板部の上縁
１５        前板部
１６        前板部の上縁
１９        ごみ投入口
２０        回動式開閉蓋
２０Ａ      開閉蓋本体
２２        差出部
２４        回動式開閉蓋の後縁部
３０，５０  軸支部
３１        一方向ロータリーダンパー
４０        ストッパー部
４１        緩衝部材（緩衝部）
５１        回動角度範囲規制部材（回動角度範囲規制手段）
【図１】
2013035636.tif 000003
【図２】
2013035636.tif 000004
【図３】
2013035636.tif 000005
【図４】
2013035636.tif 000006
【図５】
2013035636.tif 000007
【図６】
2013035636.tif 000008
【図７】
2013035636.tif 000009